(57)【要約】      （修正有）【課題】写経および写仏と、御朱印とを共に保管することが可能な絵写経用紙を提供する。【解決手段】絵写経用紙１１は、筆記具のインクを吸着するインク吸着用紙１２を備え、インク吸着用紙１２は、仏絵が描かれた仏絵部１４と、経文が描かれた経文部１５と、朱印を押印する朱印スペース１６を有する。仏絵部１４と経文部１５は、インクの色よりも薄い色で描かれている構成とした。経文部１５において、経文は、縦書きまたは横書きにて複数行に描かれており、経文部１５は、複数行の一部に経文の描かれていない空白部１８を有し、空白部１８に朱印スペース１６が設けられている構成とした。【選択図】図１
0003228760.tif 000002
【実用新案登録請求の範囲】
【請求項１】
筆記具のインクを吸着するインク吸着用紙を備え、
前記インク吸着用紙は、
仏絵が描かれた仏絵部と、
経文が描かれた経文部と、
朱印を押印する朱印スペースを有する
絵写経用紙。
【請求項２】
前記経文部において、前記経文は、縦書きまたは横書きにて複数行に描かれており、
前記経文部は、前記複数行の一部に前記経文の描かれていない空白部を有し、
前記空白部に前記朱印スペースが設けられている
請求項１記載の絵写経用紙。
【請求項３】
前記経文部の経文は、前記空白部の外周全周を囲むように配置されている
請求項２記載の絵写経用紙。
【請求項４】
前記経文部は、前記仏絵部の面積よりも広い構成である
請求項３記載の絵写経用紙。
【請求項５】
前記仏絵部と前記経文部は、
前記インクの色よりも薄い色で描かれている
請求項４記載の絵写経用紙。
【請求項６】
前記インク吸着用紙は、台紙と、トレーシングペーパーとで構成され、
前記台紙は、
前記仏絵部と、前記経文部とを有し、
前記トレーシングペーパーは、筆記具のインクを吸着する構成であり、かつ、前記朱印スペースを有する
請求１記載の絵写経用紙。
【請求項７】
前記朱印スペースは、前記トレーシングペーパーを前記台紙に重ねた際に、前記空白部に重なる位置に備えられた
請求項６記載の絵写経用紙。
【考案の詳細な説明】
【技術分野】
【０００１】
この考案は、例えば写仏、または写経のための絵写経用転写用紙に関する。
【背景技術】
【０００２】
従来、心を落ち着けてリラックスする、またはストレスを解消するための手段として、経文を写し書きする写経や、仏像等を写し書きする写仏が用いられてきた。また、様々な神社やお寺に参拝し、参拝した証として専用の印帳等に御朱印を押印してもらう御朱印巡りが一般に広く知られている。
【０００３】
しかしながら、元来、御朱印は写経を神社やお寺に奉納する御納経の証明ともされており、写経および写仏と、御朱印は切り離して考えるものではない。
【０００４】
写経を補助する道具として、写し間違えがあった場合でも、新たな写経用紙を用意する必要がない、加熱によって筆記文字を消去することができる写経用筆記具が考案されている（実用新案文献１参照）。
【０００５】
しかしながら、写経および写仏用の転写用紙と御朱印を押印してもらう御朱印帳とは依然分けられており、写経および写仏と、御朱印とを強く結びつけ、共に保管できる方法が望まれていた。
【先行技術文献】
【特許文献】
【０００６】
【特許文献１】実用新案登録公報第３１９０２６４号
【考案の概要】
【考案が解決しようとする課題】
【０００７】
この考案は、上述の問題に鑑みて、写経および写仏と、御朱印とを共に保管することが可能な絵写経用紙を提供することを目的とする。
【課題を解決するための手段】
【０００８】
この考案は、筆記具のインクを吸着するインク吸着用紙を備え、前記インク吸着用紙は、仏絵が描かれた仏絵部と、経文が描かれた経文部と、朱印を押印する朱印スペースを有する絵写経用紙であることを特徴とする。
【考案の効果】
【０００９】
この考案により、写経および写仏と、御朱印とを共に保管することが可能な絵写経用紙を提供できる。
【図面の簡単な説明】
【００１０】
【図１】絵写経用紙の平面図である。
【図２】絵写経用転写用紙セットの概観図である。
【図３】絵写経用転写用紙セットが備える台紙を示す平面図である。
【図４】絵写経用転写用紙セットの転写時における側面図である。
【考案を実施するための形態】
【００１１】
本考案者は、写経および写仏と、御朱印とを共に保管することが可能な絵写経用転写用紙セットを考案した。以下、この考案の一実施形態を図面と共に説明する。
【実施例１】
【００１２】
図１は、絵写経用紙１１の平面図である。
絵写経用紙１１は、長方形の紙状に形成されたインク吸着可能な１枚のインク吸着用紙１２により構成され、その上面に仏絵部１４と経文部１５と空白部１８とを有している。仏絵部１４と経文部１５と空白部１８とは絵写経用紙１１の片面（同一面）に配置される。
【００１３】
仏絵部１４には、写仏の見本である仏絵が描かれている。経文部１５には、写経の見本である経文が描かれている。仏絵部１４に描かれる仏絵は、観音または如来または明王といった仏像の他、大師といった歴史上の僧人といった、一般に信仰の対象となっている種々の絵であり、絵写経用紙１１上の面積の内、約半分〜４分の１の面積を占めている。
【００１４】
経文部１５に描かれる経文は、仏絵に関係した、お経または念仏または題目であり、空白部１８の外周全周を囲むように配置されている。ここに示す例では、絵写経用紙１１に、絵写経用紙１１の右上から左下に向かって、縦書きで複数列にかけて記載されている。
【００１５】
空白部１８は、略矩形の形状を有する。空白部１８は、朱印スペース１６の位置を示唆する。ここに示す例では、空白部１８は仏絵部１４に重複しないように配置される。
【００１６】
仏絵部１４と経文部１５は、絵写経用紙１１の片面に薄く描かれている。具体的には、絵写経として仏絵部１４および経文部１５を利用者がなぞるための筆記具であるペン（若しくは筆ペン）のインクの濃さに対して、半分以下の薄さで描かれている。
【００１７】
絵写経用紙１１は、絵写経（写経および写仏）を行うための筆記具であるペン（若しくは筆ペン）のインクを吸着する素材により構成されている。絵写経用紙１１は、一般的にインクを吸い込める紙であればよい。
【００１８】
以上の構成により、利用者は、絵写経用紙１１に薄く描かれている仏画（仏絵部１４）と経文（経文部１５）を筆記具で上からなぞり、写仏および写経を容易に行うことができる。
仏画と経文が絵写経用紙１１に薄く描かれているため、利用者は容易になぞって美しい写経および写仏を実行することができる。
また、絵写経用紙１１がインクを吸着する構成であるため、利用者が筆記具で写経および写仏したインクがにじむ等で読めなくなることを防止できる。
【００１９】
また、経文部１５の経文は、空白部１８の外周全周を囲むように配置されているため、写経後において、朱印スペース１６の外周全周が写経された経文により囲まれた状態となる。これにより、朱印を押印した際に経文の中に朱印が押印された美しい美観を容易に得ることができる。
【００２０】
また、朱印スペース１６は、空白部１８に重なる位置に設けられているため、使用者が経文と仏絵を適切に描いて朱印を適切な位置に押印することが容易に実現される。
【実施例２】
【００２１】
図２は、実施例２における絵写経用転写用紙セット１（絵写経用紙）の概観図である。また、図３は、絵写経用転写用紙セット１が備える台紙２を示す平面図である。さらに、図４は、絵写経用転写用紙セット１の転写時における側面図である。この実施例２では、利用者は、台紙２とトレーシングペーパー３を利用し、台紙２に描かれている仏画および経文をトレーシングペーパー３に写す。
【００２２】
図２に示すように、絵写経用転写用紙セット１（絵写経用紙）は、絵写経の見本である台紙２と、台紙２の上に重ねて絵写経を行うトレーシングペーパー３を有する。なお、ここに示す例では、台紙２とトレーシングペーパー３とは同一の大きさに形成されている。
【００２３】
台紙２は、仏絵部４と経文部５と空白部８とを有する。図３に示すように、仏絵部４と経文部５と空白部８とは台紙２の片面（同一面）に配置される。
【００２４】
仏絵部４には、写仏の見本である仏絵が描かれている。経文部５には、写経の見本である経文が描かれている。仏絵部４に描かれる仏絵は、観音または如来または明王といった仏像の他、大師といった歴史上の僧人といった、一般に信仰の対象となっている種々の絵であり、台紙２上の面積の内、約半分〜４分の１の面積を占めている。
【００２５】
経文部５に描かれる経文は、仏絵に関係した、お経または念仏または題目であり、空白部８の外周全周を囲むように配置されている。ここに示す例では、台紙２に、台紙２の右上から左下に向かって、縦書きで複数列にかけて記載されている。
【００２６】
空白部８は、略矩形の形状を有する。空白部８は、トレーシングペーパー３における朱印スペース６の位置を示唆する。ここに示す例では、空白部８は仏絵部４に重複しないように配置される。
【００２７】
トレーシングペーパー３は、表面側から裏面側を透視可能な薄いシート状である。トレーシングペーパー３としては、例えば、和紙、硫酸紙、パラフィン紙、グラシン紙などを採用することができるが、トレーシングペーパー３は、これらに限定されるものではない。トレーシングペーパー３の素材としては、シート状にした際に表面側から裏面側に配置された画像（仏絵や経文）が視認可能であり、表面に対して一般的な筆記用具による筆記が容易であり、かつ、保管に適したものが好ましい。トレーシングペーパー３は、御朱印を押印するスペースとして朱印スペース６を有する。
【００２８】
図２に示すように、朱印スペース６は、トレーシングペーパー３に枠線が描かれることにより、その領域が視認可能に表現されている。これによって、使用者は、写経あるいは写仏がされる前の状態においても、朱印スペース６の存在および位置を容易に確認することができる。ただし、朱印スペース６は、枠線などによって、予め表現されていなくてもよい。
【００２９】
朱印スペース６は、台紙２の四つ角にトレーシングペーパー３の四つ角をそれぞれ重ねて置いたときに、仏絵部４の仏絵に重複しない位置に設けられている。なお、すでに説明したように、ここに示す例では、台紙２とトレーシングペーパー３とは同一の大きさに形成されている。したがって、使用者は、台紙２の四つ角とトレーシングペーパー３の四つ角とを同時に重ねることができる。これにより、使用者は、台紙２とトレーシングペーパー３との位置決めを簡単に行うことができる。
【００３０】
絵写経用転写用紙セット１の使用者は、台紙２の四つ角とトレーシングペーパー３の四つ角をそれぞれ重ね合わせて固定する。固定する手法としては、例えば、クリップで留める、あるいは、文鎮などで重しをするなどが想定される。次に、使用者は、トレーシングペーパー３を透過して視認可能な空白部８を元に朱印スペース６を設定し、仏絵および経文を、筆記具７を用いてトレーシングペーパー３に写仏および写経する。
【００３１】
トレーシングペーパー３への写仏および写経が終了したら、トレーシングペーパー３を仏絵および経文に所縁のある神社またはお寺に持参し、朱印スペース６に御朱印を押印してもらう。使用者は、御朱印を押印したトレーシングペーパー３を、仏壇にお供えする、額縁に入れて掲示するといった手段を用いて保管する。
【００３２】
以上の構成により、トレーシングペーパー３に朱印スペース６を設けることで、写経および写仏と、御朱印とをより強く結びつけ、共に保管することができる。
【００３３】
また、経文部５の経文は、空白部８の外周全周を囲むように配置されているため、写経後において、朱印スペース６の外周全周が写経された経文により囲まれた状態となる。これにより、朱印を押印した際に経文の中に朱印が押印された美しい美観を容易に得ることができる。
【００３４】
また、朱印スペース６は、トレーシングペーパー３を台紙２に重ねた際に、空白部８に重なる位置に設けられているため、使用者が経文と仏絵を適切に描いて朱印を適切な位置に押印することが容易に実現される。
【００３５】
また、台紙２とトレーシングペーパー３とが同一の大きさに形成されているため、トレーシングペーパー３の朱印スペース６と台紙２の空白部８を容易に一致させることができる。したがって、仏絵と経文と朱印を適切な位置およびバランスに描いた写経と写仏と御朱印を結び付けた絵写経を容易に実現できる。
【００３６】
この考案は、上述の実施形態の構成のみに限定されるものではなく、多くの実施の形態を得ることができる。
【００３７】
例えば、実施例では使用者が通販などで台紙２およびトレーシングペーパー３を購入し、自宅で写仏および写経を行って、その後、御朱印の押印のために神社またはお寺にトレーシングペーパー３を持参することを想定している。しかし、神社またはお寺側が台紙２およびトレーシングペーパー３を用意し、参拝者にその神社またはお寺内で写仏および写経を提供する形態とすることもできる。
【００３８】
また、上述の実施例では、まず、使用者が写仏と写経とを行い、最後に、御朱印を押印してもらうと説明したが、手順はこれに限定されるものではない。例えば、使用者が写仏を行い、御朱印を押印してもらってから、さらに、写経を行ってもよい。すなわち、絵写経用転写用紙セット１を用いる場合において、写仏、写経、押印の順番は、特に限定されるものではない。
【００３９】
また、台紙２とトレーシングペーパー３との大きさは必ずしも同じでなくてもよい。例えば、台紙２よりもトレーシングペーパー３を大きなサイズとすることにより、使用者は、追加されたスペースに日付けや使用者の氏名、あるいは、抱負や思い出などの情報を記載してもよい。また、台紙２よりもトレーシングペーパー３を小さなサイズとしても問題はない。ただし、それらの場合には、台紙２とトレーシングペーパー３とを重ねるときに、四つ角を合わせることはできないので、例えば、上下左右の少なくとも１つの角を合わせるか、位置決め用の印を設けることが好ましい。
【００４０】
また、上述の実施形態では、写経や写仏のときに使用者が台紙２とトレーシングペーパー３とを単に重ね合わせて固定すると説明した。しかし、台紙２とトレーシングペーパー３とが、予め、着脱可能に固定されていてもよい。これにより、使用者は自ら位置合わせをする必要がない。また、写経や写仏のときに台紙２とトレーシングペーパー３とがズレることを抑制することもできる。なお、着脱可能に固定する構成としては、例えば、粘着部材等によって一部を貼り合わせてもよい。
【００４１】
また、上述の実施形態では、台紙２とトレーシングペーパー３とが別々の用紙で構成されている例について説明した。しかし、台紙２とトレーシングペーパー３とが一枚の用紙で構成されていてもよい。例えば、短冊状の用紙を、中央部に設定した直線状の折り目で折り曲げることにより、台紙２に相当する部分とトレーシングペーパー３に相当する部分とが重ね合わされる構成でもよい。その場合、当該一枚の用紙にミシン目を入れておき、トレーシングペーパー３に相当する部分を後に切り取りやすくしておいてもよい。このように構成することによっても、写経や写仏のときに、台紙２とトレーシングペーパー３とがズレることを防止することができる。
【００４２】
また、上述の実施形態では、台紙２において、仏絵部４の一部と経文部５の一部とが互いに重ね合わさるように設定されている例を示した（図３参照）。しかし、仏絵部４は、経文部５と重ならないように設定されてもよい。
【産業上の利用可能性】
【００４３】
この考案は、写仏および写経と、御朱印とを共に保管するといった産業に利用することができる。
【符号の説明】
【００４４】
１…絵写経用転写用紙セット
２…台紙
３…トレーシングペーパー
４…仏絵部
５…経文部
６…朱印スペース
７…筆記具
８…空白部
【図１】
0003228760.tif 000003
【図２】
0003228760.tif 000004
【図３】
0003228760.tif 000005
【図４】
0003228760.tif 000006
【手続補正書】
【提出日】令和2年8月4日(2020.8.4)
【手続補正１】
【補正対象書類名】実用新案登録請求の範囲
【補正対象項目名】全文
【補正方法】変更
【補正の内容】
【実用新案登録請求の範囲】
【請求項１】
筆記具のインクを吸着するインク吸着用紙を備え、
前記インク吸着用紙は、
仏絵が描かれた仏絵部と、
経文が描かれた経文部と、
朱印を押印する朱印スペースを有し、
前記経文部において、前記経文は、縦書きまたは横書きにて複数行に描かれており、
前記経文部は、前記複数行の一部に前記経文の描かれていない空白部を有し、
前記空白部に前記朱印スペースが設けられている
絵写経用紙。
【請求項２】
前記経文部の経文は、前記空白部の外周全周を囲むように配置されている
請求項１記載の絵写経用紙。
【請求項３】
前記経文部は、前記仏絵部の面積よりも広い構成である
請求項２記載の絵写経用紙。
【請求項４】
前記仏絵部と前記経文部は、
前記インクの色よりも薄い色で描かれている
請求項３記載の絵写経用紙。
【請求項５】
前記インク吸着用紙は、台紙と、トレーシングペーパーとで構成され、
前記台紙は、
前記仏絵部と、前記経文部とを有し、
前記トレーシングペーパーは、筆記具のインクを吸着する構成であり、かつ、前記朱印スペースを有する
請求項１記載の絵写経用紙。
【請求項６】
前記朱印スペースは、前記トレーシングペーパーを前記台紙に重ねた際に、前記空白部に重なる位置に備えられた
請求項５記載の絵写経用紙。

【手続補正２】
【補正対象書類名】明細書
【補正対象項目名】全文
【補正方法】変更
【補正の内容】
【考案の詳細な説明】
【技術分野】
【０００１】
この考案は、例えば写仏、または写経のための絵写経用転写用紙に関する。
【背景技術】
【０００２】
従来、心を落ち着けてリラックスする、またはストレスを解消するための手段として、経文を写し書きする写経や、仏像等を写し書きする写仏が用いられてきた。また、様々な神社やお寺に参拝し、参拝した証として専用の印帳等に御朱印を押印してもらう御朱印巡りが一般に広く知られている。
【０００３】
しかしながら、元来、御朱印は写経を神社やお寺に奉納する御納経の証明ともされており、写経および写仏と、御朱印は切り離して考えるものではない。
【０００４】
写経を補助する道具として、写し間違えがあった場合でも、新たな写経用紙を用意する必要がない、加熱によって筆記文字を消去することができる写経用筆記具が考案されている（実用新案文献１参照）。
【０００５】
しかしながら、写経および写仏用の転写用紙と御朱印を押印してもらう御朱印帳とは依然分けられており、写経および写仏と、御朱印とを強く結びつけ、共に保管できる方法が望まれていた。
【先行技術文献】
【特許文献】
【０００６】
【特許文献１】実用新案登録公報第３１９０２６４号
【考案の概要】
【考案が解決しようとする課題】
【０００７】
この考案は、上述の問題に鑑みて、写経および写仏と、御朱印とを共に保管することが可能な絵写経用紙を提供することを目的とする。
【課題を解決するための手段】
【０００８】
この考案は、筆記具のインクを吸着するインク吸着用紙を備え、前記インク吸着用紙は、仏絵が描かれた仏絵部と、経文が描かれた経文部と、朱印を押印する朱印スペースを有し、前記経文部において、前記経文は、縦書きまたは横書きにて複数行に描かれており、前記経文部は、前記複数行の一部に前記経文の描かれていない空白部を有し、前記空白部に前記朱印スペースが設けられている絵写経用紙であることを特徴とする。
【考案の効果】
【０００９】
この考案により、写経および写仏と、御朱印とを共に保管することが可能な絵写経用紙を提供できる。
【図面の簡単な説明】
【００１０】
【図１】絵写経用紙の平面図である。
【図２】絵写経用転写用紙セットの概観図である。
【図３】絵写経用転写用紙セットが備える台紙を示す平面図である。
【図４】絵写経用転写用紙セットの転写時における側面図である。
【考案を実施するための形態】
【００１１】
本考案者は、写経および写仏と、御朱印とを共に保管することが可能な絵写経用転写用紙セットを考案した。以下、この考案の一実施形態を図面と共に説明する。
【実施例１】
【００１２】
図１は、絵写経用紙１１の平面図である。
絵写経用紙１１は、長方形の紙状に形成されたインク吸着可能な１枚のインク吸着用紙１２により構成され、その上面に仏絵部１４と経文部１５と空白部１８とを有している。仏絵部１４と経文部１５と空白部１８とは絵写経用紙１１の片面（同一面）に配置される。
【００１３】
仏絵部１４には、写仏の見本である仏絵が描かれている。経文部１５には、写経の見本である経文が描かれている。仏絵部１４に描かれる仏絵は、観音または如来または明王といった仏像の他、大師といった歴史上の僧人といった、一般に信仰の対象となっている種々の絵であり、絵写経用紙１１上の面積の内、約半分〜４分の１の面積を占めている。
【００１４】
経文部１５に描かれる経文は、仏絵に関係した、お経または念仏または題目であり、空白部１８の外周全周を囲むように配置されている。ここに示す例では、絵写経用紙１１に、絵写経用紙１１の右上から左下に向かって、縦書きで複数列にかけて記載されている。
【００１５】
空白部１８は、略矩形の形状を有する。空白部１８は、朱印スペース１６の位置を示唆する。ここに示す例では、空白部１８は仏絵部１４に重複しないように配置される。
【００１６】
仏絵部１４と経文部１５は、絵写経用紙１１の片面に薄く描かれている。具体的には、絵写経として仏絵部１４および経文部１５を利用者がなぞるための筆記具であるペン（若しくは筆ペン）のインクの濃さに対して、半分以下の薄さで描かれている。
【００１７】
絵写経用紙１１は、絵写経（写経および写仏）を行うための筆記具であるペン（若しくは筆ペン）のインクを吸着する素材により構成されている。絵写経用紙１１は、一般的にインクを吸い込める紙であればよい。
【００１８】
以上の構成により、利用者は、絵写経用紙１１に薄く描かれている仏画（仏絵部１４）と経文（経文部１５）を筆記具で上からなぞり、写仏および写経を容易に行うことができる。
仏画と経文が絵写経用紙１１に薄く描かれているため、利用者は容易になぞって美しい写経および写仏を実行することができる。
また、絵写経用紙１１がインクを吸着する構成であるため、利用者が筆記具で写経および写仏したインクがにじむ等で読めなくなることを防止できる。
【００１９】
また、経文部１５の経文は、空白部１８の外周全周を囲むように配置されているため、写経後において、朱印スペース１６の外周全周が写経された経文により囲まれた状態となる。これにより、朱印を押印した際に経文の中に朱印が押印された美しい美観を容易に得ることができる。
【００２０】
また、朱印スペース１６は、空白部１８に重なる位置に設けられているため、使用者が経文と仏絵を適切に描いて朱印を適切な位置に押印することが容易に実現される。
【実施例２】
【００２１】
図２は、実施例２における絵写経用転写用紙セット１（絵写経用紙）の概観図である。また、図３は、絵写経用転写用紙セット１が備える台紙２を示す平面図である。さらに、図４は、絵写経用転写用紙セット１の転写時における側面図である。この実施例２では、利用者は、台紙２とトレーシングペーパー３を利用し、台紙２に描かれている仏画および経文をトレーシングペーパー３に写す。
【００２２】
図２に示すように、絵写経用転写用紙セット１（絵写経用紙）は、絵写経の見本である台紙２と、台紙２の上に重ねて絵写経を行うトレーシングペーパー３を有する。なお、ここに示す例では、台紙２とトレーシングペーパー３とは同一の大きさに形成されている。
【００２３】
台紙２は、仏絵部４と経文部５と空白部８とを有する。図３に示すように、仏絵部４と経文部５と空白部８とは台紙２の片面（同一面）に配置される。
【００２４】
仏絵部４には、写仏の見本である仏絵が描かれている。経文部５には、写経の見本である経文が描かれている。仏絵部４に描かれる仏絵は、観音または如来または明王といった仏像の他、大師といった歴史上の僧人といった、一般に信仰の対象となっている種々の絵であり、台紙２上の面積の内、約半分〜４分の１の面積を占めている。
【００２５】
経文部５に描かれる経文は、仏絵に関係した、お経または念仏または題目であり、空白部８の外周全周を囲むように配置されている。ここに示す例では、台紙２に、台紙２の右上から左下に向かって、縦書きで複数列にかけて記載されている。
【００２６】
空白部８は、略矩形の形状を有する。空白部８は、トレーシングペーパー３における朱印スペース６の位置を示唆する。ここに示す例では、空白部８は仏絵部４に重複しないように配置される。
【００２７】
トレーシングペーパー３は、表面側から裏面側を透視可能な薄いシート状である。トレーシングペーパー３としては、例えば、和紙、硫酸紙、パラフィン紙、グラシン紙などを採用することができるが、トレーシングペーパー３は、これらに限定されるものではない。トレーシングペーパー３の素材としては、シート状にした際に表面側から裏面側に配置された画像（仏絵や経文）が視認可能であり、表面に対して一般的な筆記用具による筆記が容易であり、かつ、保管に適したものが好ましい。トレーシングペーパー３は、御朱印を押印するスペースとして朱印スペース６を有する。
【００２８】
図２に示すように、朱印スペース６は、トレーシングペーパー３に枠線が描かれることにより、その領域が視認可能に表現されている。これによって、使用者は、写経あるいは写仏がされる前の状態においても、朱印スペース６の存在および位置を容易に確認することができる。ただし、朱印スペース６は、枠線などによって、予め表現されていなくてもよい。
【００２９】
朱印スペース６は、台紙２の四つ角にトレーシングペーパー３の四つ角をそれぞれ重ねて置いたときに、仏絵部４の仏絵に重複しない位置に設けられている。なお、すでに説明したように、ここに示す例では、台紙２とトレーシングペーパー３とは同一の大きさに形成されている。したがって、使用者は、台紙２の四つ角とトレーシングペーパー３の四つ角とを同時に重ねることができる。これにより、使用者は、台紙２とトレーシングペーパー３との位置決めを簡単に行うことができる。
【００３０】
絵写経用転写用紙セット１の使用者は、台紙２の四つ角とトレーシングペーパー３の四つ角をそれぞれ重ね合わせて固定する。固定する手法としては、例えば、クリップで留める、あるいは、文鎮などで重しをするなどが想定される。次に、使用者は、トレーシングペーパー３を透過して視認可能な空白部８を元に朱印スペース６を設定し、仏絵および経文を、筆記具７を用いてトレーシングペーパー３に写仏および写経する。
【００３１】
トレーシングペーパー３への写仏および写経が終了したら、トレーシングペーパー３を仏絵および経文に所縁のある神社またはお寺に持参し、朱印スペース６に御朱印を押印してもらう。使用者は、御朱印を押印したトレーシングペーパー３を、仏壇にお供えする、額縁に入れて掲示するといった手段を用いて保管する。
【００３２】
以上の構成により、トレーシングペーパー３に朱印スペース６を設けることで、写経および写仏と、御朱印とをより強く結びつけ、共に保管することができる。
【００３３】
また、経文部５の経文は、空白部８の外周全周を囲むように配置されているため、写経後において、朱印スペース６の外周全周が写経された経文により囲まれた状態となる。これにより、朱印を押印した際に経文の中に朱印が押印された美しい美観を容易に得ることができる。
【００３４】
また、朱印スペース６は、トレーシングペーパー３を台紙２に重ねた際に、空白部８に重なる位置に設けられているため、使用者が経文と仏絵を適切に描いて朱印を適切な位置に押印することが容易に実現される。
【００３５】
また、台紙２とトレーシングペーパー３とが同一の大きさに形成されているため、トレーシングペーパー３の朱印スペース６と台紙２の空白部８を容易に一致させることができる。したがって、仏絵と経文と朱印を適切な位置およびバランスに描いた写経と写仏と御朱印を結び付けた絵写経を容易に実現できる。
【００３６】
この考案は、上述の実施形態の構成のみに限定されるものではなく、多くの実施の形態を得ることができる。
【００３７】
例えば、実施例では使用者が通販などで台紙２およびトレーシングペーパー３を購入し、自宅で写仏および写経を行って、その後、御朱印の押印のために神社またはお寺にトレーシングペーパー３を持参することを想定している。しかし、神社またはお寺側が台紙２およびトレーシングペーパー３を用意し、参拝者にその神社またはお寺内で写仏および写経を提供する形態とすることもできる。
【００３８】
また、上述の実施例では、まず、使用者が写仏と写経とを行い、最後に、御朱印を押印してもらうと説明したが、手順はこれに限定されるものではない。例えば、使用者が写仏を行い、御朱印を押印してもらってから、さらに、写経を行ってもよい。すなわち、絵写経用転写用紙セット１を用いる場合において、写仏、写経、押印の順番は、特に限定されるものではない。
【００３９】
また、台紙２とトレーシングペーパー３との大きさは必ずしも同じでなくてもよい。例えば、台紙２よりもトレーシングペーパー３を大きなサイズとすることにより、使用者は、追加されたスペースに日付けや使用者の氏名、あるいは、抱負や思い出などの情報を記載してもよい。また、台紙２よりもトレーシングペーパー３を小さなサイズとしても問題はない。ただし、それらの場合には、台紙２とトレーシングペーパー３とを重ねるときに、四つ角を合わせることはできないので、例えば、上下左右の少なくとも１つの角を合わせるか、位置決め用の印を設けることが好ましい。
【００４０】
また、上述の実施形態では、写経や写仏のときに使用者が台紙２とトレーシングペーパー３とを単に重ね合わせて固定すると説明した。しかし、台紙２とトレーシングペーパー３とが、予め、着脱可能に固定されていてもよい。これにより、使用者は自ら位置合わせをする必要がない。また、写経や写仏のときに台紙２とトレーシングペーパー３とがズレることを抑制することもできる。なお、着脱可能に固定する構成としては、例えば、粘着部材等によって一部を貼り合わせてもよい。
【００４１】
また、上述の実施形態では、台紙２とトレーシングペーパー３とが別々の用紙で構成されている例について説明した。しかし、台紙２とトレーシングペーパー３とが一枚の用紙で構成されていてもよい。例えば、短冊状の用紙を、中央部に設定した直線状の折り目で折り曲げることにより、台紙２に相当する部分とトレーシングペーパー３に相当する部分とが重ね合わされる構成でもよい。その場合、当該一枚の用紙にミシン目を入れておき、トレーシングペーパー３に相当する部分を後に切り取りやすくしておいてもよい。このように構成することによっても、写経や写仏のときに、台紙２とトレーシングペーパー３とがズレることを防止することができる。
【００４２】
また、上述の実施形態では、台紙２において、仏絵部４の一部と経文部５の一部とが互いに重ね合わさるように設定されている例を示した（図３参照）。しかし、仏絵部４は、経文部５と重ならないように設定されてもよい。
【産業上の利用可能性】
【００４３】
この考案は、写仏および写経と、御朱印とを共に保管するといった産業に利用することができる。
【符号の説明】
【００４４】
１…絵写経用転写用紙セット
２…台紙
３…トレーシングペーパー
４…仏絵部
５…経文部
６…朱印スペース
７…筆記具
８…空白部